(57)【要約】【課題】本発明は、ピーク対平均電力比を低下させ、コスト削減し、良好な帯域幅効率を持つことを特徴とする周波数選択性減衰パスのマルチコードマルチキャリア符合分割多重接続システムを提案する。【解決手段】本発明は、周波数選択性減衰パスのマルチコードマルチキャリア符合分割多重接続システムに関するものであり、送信装置は主に、複数の写像/スペクトラム拡散ユニットによって複数のサブストリームを各々受信し、これらのサブストリームを写像並びにスペクトラム拡散し、複数の直交変調データを生成する。複数の重複ユニットはこれらの直交変調データを各々受信し、直交変調データを重複し複数の重複データを生成する。複数のシフトユニットは重複データを各々受信し、重複データをシフトして複数のシフトデータを生成する。その内のシフトデータは相互直交である。このようにして、送信装置は上述により低ピーク対平均電力比を達成する。【選択図】図１
2009124563.tif 000002
【特許請求の範囲】
【請求項１】
周波数選択性減衰パスのマルチコードマルチキャリア符合分割多重接続システムの送信装置において、
入力信号を受信し、複数のサブストリームを生成するデマルチプレクサーと、
サブストリームを各々受信、これらのサブストリームを写像並びにスペクトラム拡散し、複数の直交変調データを生成する複数の写像/スペクトラム拡散ユニットと、
該直交変調データを各々受信し、これらの直交変調データを重複し、複数の重複データを生成する複数の重複ユニットと、
該重複データを各々受信し、これらの重複データをシフトして複数のシフトデータを生成するシフトユニットと、
これらのシフトユニットが生成したシフトデータを受信し、これらのシフトデータを加算し合計データを生成する加算器と、
合計データを受信し、合計データを時間領域データに変換する逆変換ユニットと、
時間領域データを受信し、高周波信号を生成送信する高周波ユニットとにより構成されることを特徴とする周波数選択性減衰パスのマルチコードマルチキャリア符合分割多重接続システムの送信装置。
【請求項２】
前記周波数選択性減衰パスのマルチコードマルチキャリア符合分割多重接続システムの送信装置は、更に、保護ユニットを含み、それは、時間領域データを受信、並びに時間領域データに保護データを追加し、高周波回路に伝送して、高周波信号を生成し送信することを特徴とする請求項１記載の周波数選択性減衰パスのマルチコードマルチキャリア符合分割多重接続システムの送信装置。
【請求項３】
前記保護データはサイクリックプレフィクスであることを特徴とする請求項２記載の周波数選択性減衰パスのマルチコードマルチキャリア符合分割多重接続システムの送信装置。
【請求項４】
前記写像/スペクトラム拡散ユニットは、
サブストリームを受信し、サブストリームの後２ビットと２ビット以外のサブストリームを論理演算し論理データを生成するＸＯＲ論理ゲートと、
論理データを受信し、該論理データを十進法データに変換する二進法十進法変換ユニットと、
十進法データとチューシークエンスを受信し、該十進法データを写像し写像データを生成する写像ユニットと、
サブストリームの後２ビットを受信し、並びに、サブストリームの後２ビットをスペクトラム拡散し、スペクトラム拡散データを生成するスペクトラム拡散ユニットと、
写像データとスペクトラム拡散データを受信乗算し、直交変調データを生成する乗算器とにより構成されることを特徴とすることを請求項１記載の周波数選択性減衰パスのマルチコードマルチキャリア符合分割多重接続システムの送信装置。
【請求項５】
前記スペクトラム拡散ユニットは四位相偏移変調であることを特徴とする請求項４記載の周波数選択性減衰パスのマルチコードマルチキャリア符合分割多重接続システムの送信装置。
【請求項６】
前記四位相偏移変調は多元陪直交変調データであることを特徴とする請求項１記載の周波数選択性減衰パスのマルチコードマルチキャリア符合分割多重接続システムの送信装置。
【請求項７】
前記シフトユニットは乗算器であり、重複データとシフトパラメータを乗算しシフトデータを生成することを特徴とする請求項１記載の周波数選択性減衰パスのマルチコードマルチキャリア符合分割多重接続システムの送信装置。
【請求項８】
前記逆変換ユニットは逆高速フーリエ変換ユニットであることを特徴とする請求項１記載の周波数選択性減衰パスのマルチコードマルチキャリア符合分割多重接続システムの送信装置。
【請求項９】
周波数選択性減衰パスのマルチコードマルチキャリア符合分割多重接続システムの受信装置は、
高周波信号を受信し受信データを生成する高周波ユニットと、
受信データを受信し、該受信データを周波数領域データに変換する変換ユニットと、
周波数領域データを各々受信し、周波数領域データをシフトし複数の移相データを生成する複数の移相ユニットと、
移相データを各々受信し、該移相データをスペクトラム逆拡散し、複数のスペクトラム逆拡散データを生成する複数のスペクトラム逆拡散ユニットと、
スペクトラム逆拡散データを各々受信し、該スペクトラム逆拡散データを逆写像し、逆写像後のスペクトラム逆拡散データを判断し、複数の判断データを生成する複数の逆写像/判断ユニットと、
これらの判断データを受信し、出力データを生成するマルチプレクサーとにより構成されることを特徴とする周波数選択性減衰パスのマルチコードマルチキャリア符合分割多重接続システムの受信装置。
【請求項１０】
前記受信装置は、イコライザを更に含み、それは、周波数領域データを受信し、周波数領域データを等化し、移相ユニットに伝送することを特徴とする請求項９記載の周波数選択性減衰パスのマルチコードマルチキャリア符合分割多重接続システムの受信装置。
【請求項１１】
前記移相ユニットは乗算器であり、重複データと移相パラメータを乗算し移相データを生成することを特徴とする請求項９記載の周波数選択性減衰パスのマルチコードマルチキャリア符合分割多重接続システムの受信装置。
【請求項１２】
前記変換ユニットは高速フーリエ変換ユニットであることを特徴とする請求項９記載の周波数選択性減衰パスのマルチコードマルチキャリア符合分割多重接続システムの受信装置。
【発明の詳細な説明】
【技術分野】
【０００１】
本発明は、マルチキャリア符合分割多重接続システムに関するもので、特に、周波数選択性減衰パスのマルチコードマルチキャリア符合分割多重接続システムである。
【背景技術】
【０００２】
現在のインターネット及び通信は、徐々に文字、音声伝送から、各式マルチメディア音声映像データ伝送に発展しており、よって、無線インターネット帯域幅に対する要求は大幅に向上している。また、マルチキャリア符合分割多重接続（Multicarrier Code Division Multiple Access：MC-CDMA）通信技術は、マルチキャリア伝送技術と符合分割多重接続（Code Division Multiple Access：CDMA）通信技術を結合し、スペクトラム拡散技術を直交波周波数分割多重（Orthogonal Frequency Division Multiplexing：OFDM）アーキテクチャ上に応用する方式である。マルチキャリア符合分割多重接続は、個別ユーザーのスペクトラム拡散コードを許容し、各キャリアの上で独立変調して、パスの減衰に平坦特性を現し、並びに、周波数を多様にする効果を提供、更に、１ステップのイコライザを運用して符合間干渉の問題に対抗する。
【０００３】
しかしマルチキャリア分碼多重連接伝送技術において、得られるスペクトル効率（spectral efficiency）及びダイバーシティ利得（diversity gain）は比較的低く、並びに、広帯域システムに応用した場合、即ちマルチパス環境である時、符合間干渉（Intersymbol Interference、ISI）及びサブストリーム（substream）間における直交性消失の為、マルチキャリア伝送効果の低下が発生し、よって、良好なダイバーシティ利得とスペクトル効率を得ることは不可能となる。また例えば、直交波周波数分割多重信号（OFDM）のような一般的なマルチキャリア符合分割多重接続システムでデータ伝送する場合、ピーク対平均電力比（Peak-to-average-power-ratio：PAPR）が比較的高くなる。
【０００４】
よって、いかに前述問題に対し、新規の周波数選択性減衰パスのマルチコードマルチキャリア符合分割多重接続システムを提供し、伝送回路を簡単にし、ピーク対平均電力比を低くし、良好な帯域幅効率を持たせるかが本発明の課題である。
【発明の開示】
【発明が解決しようとする課題】
【０００５】
本発明の目的の一つは、写像/スペクトラム拡散ユニットを使ってピーク対平均電力比を低下させる周波数選択性減衰パスのマルチコードマルチキャリア符合分割多重接続システムを提供することにある。
【０００６】
本発明の目的の一つは、回路アーキテクチャが簡単で、コスト削減ができる周波数選択性減衰パスのマルチコードマルチキャリア符合分割多重接続システムを提供することにある。
【０００７】
本発明の目的の一つは、マルチコード技術によって、良好な帯域幅効率を持つ周波数選択性減衰パスのマルチコードマルチキャリア符合分割多重接続システムを提供することにある。
【０００８】
本発明の周波数選択性減衰パスのマルチコードマルチキャリア符合分割多重接続システムは、送信装置と受信装置を含む。該送信装置は、デマルチプレクサーと、複数の写像/スペクトラム拡散ユニットと、複数のシフトユニットと、加算器と、逆変換ユニットと、高周波ユニットを含む。デマルチプレクサーユニットは、入力信号を受信して複数のサブストリームを生成、並びに複数の写像/スペクトラム拡散ユニットに伝送する。それらのサブストリームを写像、スペクトラム拡散して複数の直交変調データを生成する。複数の重複ユニットはそれらの直交変調データを各々受信し、これらの直交変調データを重複し、複数の重複データを生成し複数シフトユニットに伝送、それらの重複データをシフトして複数のシフトデータを生成する。該シフトデータは互いに直交させ、加算器はこれらのシフトユニットが生成するシフトデータを受信、これらのシフトデータを加算し合計データを生成する。逆変換ユニットは、該合計データを受信し、合計データを時間領域データに変換、高周波ユニットは該時間領域データを受信し、高周波信号を生成送信する。
【０００９】
また、受信装置は、高周波ユニットと、変換ユニットと、複数の移相ユニットと、複数のスペクトラム逆拡散ユニットと、複数の逆写像/判断ユニットと、マルチプレクサーを含む。該高周波ユニットは、高周波信号を受信し受信データを生成、並びに、変換ユニットに伝送する。変換ユニットは受信データを周波数領域データに変換する。移相ユニットは周波数領域データを各々受信し、周波数領域データをシフトし複数の移相データを生成、並びに、スペクトラム逆拡散ユニットに伝送、それは移相データをスペクトラム逆拡散した後、複数のスペクトラム逆拡散データを生成、複数の逆写像/判断ユニットは、スペクトラム逆拡散データを各々受信し、該スペクトラム逆拡散データを逆写像し、逆写像後のスペクトラム逆拡散データを判断し、複数の判断データを生成、マルチプレクサーは、これらの判断データを受信し、出力データを生成する。
【課題を解決するための手段】
【００１０】
請求項１の発明は、周波数選択性減衰パスのマルチコードマルチキャリア符合分割多重接続システムの送信装置において、
入力信号を受信し、複数のサブストリームを生成するデマルチプレクサーと、
サブストリームを各々受信、これらのサブストリームを写像並びにスペクトラム拡散し、複数の直交変調データを生成する複数の写像/スペクトラム拡散ユニットと、
該直交変調データを各々受信し、これらの直交変調データを重複し、複数の重複データを生成する複数の重複ユニットと、
該重複データを各々受信し、これらの重複データをシフトして複数のシフトデータを生成するシフトユニットと、
これらのシフトユニットが生成したシフトデータを受信し、これらのシフトデータを加算し合計データを生成する加算器と、
合計データを受信し、合計データを時間領域データに変換する逆変換ユニットと、
時間領域データを受信し、高周波信号を生成送信する高周波ユニットとにより構成されることを特徴とする周波数選択性減衰パスのマルチコードマルチキャリア符合分割多重接続システムの送信装置としている。
請求項２の発明は、前記周波数選択性減衰パスのマルチコードマルチキャリア符合分割多重接続システムの送信装置は、更に、保護ユニットを含み、それは、時間領域データを受信、並びに時間領域データに保護データを追加し、高周波回路に伝送して、高周波信号を生成し送信することを特徴とする請求項１記載の周波数選択性減衰パスのマルチコードマルチキャリア符合分割多重接続システムの送信装置としている。
請求項３の発明は、前記保護データはサイクリックプレフィクスであることを特徴とする請求項２記載の周波数選択性減衰パスのマルチコードマルチキャリア符合分割多重接続システムの送信装置としている。
請求項４の発明は、前記写像/スペクトラム拡散ユニットは、
サブストリームを受信し、サブストリームの後２ビットと２ビット以外のサブストリームを論理演算し論理データを生成するＸＯＲ論理ゲートと、
論理データを受信し、該論理データを十進法データに変換する二進法十進法変換ユニットと、
十進法データとチューシークエンスを受信し、該十進法データを写像し写像データを生成する写像ユニットと、
サブストリームの後２ビットを受信し、並びに、サブストリームの後２ビットをスペクトラム拡散し、スペクトラム拡散データを生成するスペクトラム拡散ユニットと、
写像データとスペクトラム拡散データを受信乗算し、直交変調データを生成する乗算器とにより構成されることを特徴とすることを請求項１記載の周波数選択性減衰パスのマルチコードマルチキャリア符合分割多重接続システムの送信装置としている。
請求項５の発明は、前記スペクトラム拡散ユニットは四位相偏移変調であることを特徴とする請求項４記載の周波数選択性減衰パスのマルチコードマルチキャリア符合分割多重接続システムの送信装置としている。
請求項６の発明は、前記四位相偏移変調は多元陪直交変調データであることを特徴とする請求項１記載の周波数選択性減衰パスのマルチコードマルチキャリア符合分割多重接続システムの送信装置としている。
請求項７の発明は、前記シフトユニットは乗算器であり、重複データとシフトパラメータを乗算しシフトデータを生成することを特徴とする請求項１記載の周波数選択性減衰パスのマルチコードマルチキャリア符合分割多重接続システムの送信装置としている。
請求項８の発明は、前記逆変換ユニットは逆高速フーリエ変換ユニットであることを特徴とする請求項１記載の周波数選択性減衰パスのマルチコードマルチキャリア符合分割多重接続システムの送信装置としている。
請求項９の発明は、周波数選択性減衰パスのマルチコードマルチキャリア符合分割多重接続システムの受信装置は、
高周波信号を受信し受信データを生成する高周波ユニットと、
受信データを受信し、該受信データを周波数領域データに変換する変換ユニットと、
周波数領域データを各々受信し、周波数領域データをシフトし複数の移相データを生成する複数の移相ユニットと、
移相データを各々受信し、該移相データをスペクトラム逆拡散し、複数のスペクトラム逆拡散データを生成する複数のスペクトラム逆拡散ユニットと、
スペクトラム逆拡散データを各々受信し、該スペクトラム逆拡散データを逆写像し、逆写像後のスペクトラム逆拡散データを判断し、複数の判断データを生成する複数の逆写像/判断ユニットと、
これらの判断データを受信し、出力データを生成するマルチプレクサーとにより構成されることを特徴とする周波数選択性減衰パスのマルチコードマルチキャリア符合分割多重接続システムの受信装置としている。
請求項１０の発明は、前記受信装置は、イコライザを更に含み、それは、周波数領域データを受信し、周波数領域データを等化し、移相ユニットに伝送することを特徴とする請求項９記載の周波数選択性減衰パスのマルチコードマルチキャリア符合分割多重接続システムの受信装置としている。
請求項１１の発明は、前記移相ユニットは乗算器であり、重複データと移相パラメータを乗算し移相データを生成することを特徴とする請求項９記載の周波数選択性減衰パスのマルチコードマルチキャリア符合分割多重接続システムの受信装置としている。
請求項１２の発明は、前記変換ユニットは高速フーリエ変換ユニットであることを特徴とする請求項９記載の周波数選択性減衰パスのマルチコードマルチキャリア符合分割多重接続システムの受信装置としている。
【発明の効果】
【００１１】
以上説明したように、本発明の周波数選択性減衰パスのマルチコードマルチキャリア符合分割多重接続システムは、写像/スペクトラム拡散ユニットを使ってピーク対平均電力比を低下させ、回路アーキテクチャが簡単である故コスト削減ができ、良好な帯域幅効率を持つことを特徴とする。
【発明を実施するための最良の形態】
【００１２】
図１に、本発明の一実施例のブロック図を示す。図に示すとおり、本発明の周波数選択性減衰パスのマルチコードマルチキャリア符合分割多重接続システムは、送信装置１と、受信装置２を含む。送信装置１は、デマルチプレクサー１０と、複数の写像/スペクトラム拡散ユニット１１と、複数の重複ユニット１２と、複数のシフトユニット１３と、加算器１４と、逆変換ユニット１５と、高周波ユニット１６を含む。デマルチプレクサー１０は、入力データを受信し複数のサブストリーム（substream）を生成すると、写像/スペクトラム拡散ユニット１１は、サブストリームを各々受信する。即ち、
【数１】
2009124563.tif 000003
を受信する。その内、pは第p個目のサブストリームで、Rはサブストリームのビット数である。図２に、本発明の写像/スペクトラム拡散ユニットの詳細ブロック図を示す。図に示すとおり、写像/スペクトラム拡散ユニット１１は、ＸＯＲ論理ゲート１１０と、二進法十進法変換ユニット１１２と、写像ユニット１１４と、スペクトラム拡散ユニット１１６と、乗算器１１８を含む。ＸＯＲ論理ゲート１１０は、サブストリームを受信し、サブストリームの後２ビットと２ビット以外のサブストリームを論理演算し、論理データを生成する。二進法十進法変換ユニット１１２は、論理データを受信し、論理データを十進法データに変換、写像ユニット１１４は十進法データとチューシークエンス（Chu sequence）を受信し、十進法データを写像し写像データを生成する。即ち、N個の直交コードを使ってRビットのサブストリームを写像する。例えば、R＝log2M、M＝N、即ち、N＝８を例とするスペクトラム拡散コードは｛C(0), C(1)…,C(7)｝、よって、サブストリーム
【数２】
2009124563.tif 000004
とスペクトラム拡散コード
【数３】
2009124563.tif 000005
の写像は、次に示すとおりとなる。
【数４】
2009124563.tif 000006
その後、我々はN階多相チューシークエンスをC(0)＝〔C0,C1…,CN-1〕Tとして選択可能である。その内、
【数５】
2009124563.tif 000007
によって、C(0)中の位置を知ることができる。その内のqとNは相関性を持つ。その後、写像ユニット１１４は、C(0)をmthの位置に循環シフトしC(m)を生成、即ち、C(m)＝〔Cm,…,CN-1,C0,…,Cm-1〕である。その内、循環移動したチューシークエンスC(m)は、自己相関（auto correlation）と相互相関（cross correlation）特性を有しており、即ち、〈C(k), C(j)〉＝０， k≠j ; 〈C(k), C(k)〉＝N,   k＝jである。この他、循環移動のチューシークエンスC(m)は、逆フーリエ変換後、低いピーク対平均電力比を有する。写像ユニット１１４は、循環移動のチューシークエンスC(m)と十進法データを組み合わせて、写像データを生成する。スペクトラム拡散ユニット１１６は、サブストリームの後２ビットを受信し、並びに、サブストリームの後２ビットをスペクトラム拡散し、スペクトラム拡散データを生成する。即ち、
【数６】
2009124563.tif 000008
である。乗算器１１８は、写像データとスペクトラム拡散データを受信し乗算し、直交変調データを生成する。即ち、ei(p)＝di(p) Ci(p)である。その内ei(p)は多元陪直交変調（M-ary biorthogonal keying、MBOK）データであり、それはサブストリーム
【数７】
2009124563.tif 000009
を含む。
【００１３】
これらの重複ユニット１２は、直交変調データを各々受信し、これらの直交変調データを重複し、複数の重複データを生成する。即ち、
【数８】
2009124563.tif 000010
その内、fi(p)の長さはPNx１であり、
【数９】
2009124563.tif 000011
は重複チューシークエンスである。複数のシフトユニット１３は、重複データを各々受信し、これらの重複データをシフトして複数のシフトデータを生成する。その内、シフトデータは相互直交する。シフトユニット１３は乗算器であり、重複データとシフトパラメータを乗算しシフトデータを生成する。即ち、
【数１０】
2009124563.tif 000012
その内、
【数１１】
2009124563.tif 000013
は、対乗法（pairwise multiplication）であり、w(p)はp階周波数シフト演算である。即ち、
【数１２】
2009124563.tif 000014
その内、周波数のシフトは、fp＝p/NP,p＝０,１,…,P-１に基づき、シフトされ、この他、前述の重複と周波数シフト演算後のチューシークエンスはやはり直交性を有している。即ち、
【数１３】
2009124563.tif 000015
以上のとおり、重複ユニット１２とシフトユニット１３の演算を経た後でも、それはサブストリームの直交性を維持しており、並びに、低ピーク対平均電力比を有し、且つ、良好の周波数効率を持つ。
【００１４】
加算器１４は、これらのシフトユニット１３が生成したシフトデータを受信し、これらのシフトデータを加算し合計データを生成する。逆変換ユニット１５は、合計データを受信し、合計データを時間領域データに変換する。即ち、
【数１４】
2009124563.tif 000016
その内、QHは、逆フーリエ変換の演算であり、並びに、N點｛ci(p)｝の逆フーリエを
【数１５】
2009124563.tif 000017
に変換、
【数１６】
2009124563.tif 000018
からの異なるゼロデータ挿入演算では、直交性を有し、即ち、
【数１７】
2009124563.tif 000019
であり、信号の伝送品質を向上させる。
【００１５】
高周波ユニット１６は、時間領域データを受信し、高周波信号を生成送信する。即ち、
【数１８】
2009124563.tif 000020
よって、本発明の送信装置１は、シングルキャリア符合分割多重接続システム（Single-Carrier Division Multiple Access 、SC-CDMA）のような低ピーク対平均電力比を有する。
【００１６】
また、本発明の送信装置１は、保護ユニット１７を更に含み、それは、時間領域データを受信、並びに時間領域データに保護データを追加し、高周波回路に伝送して、高周波信号を生成し送信する。その内の保護データはサイクリックプレフィクス（cyclic prefix）である。
【００１７】
図３に、本発明の実施例に関する受信装置のブロック図を示す。図のとおり、本発明における周波数選択性減衰パスのマルチコードマルチキャリア符合分割多重接続システムの受信装置２は、高周波ユニット２１と、変換ユニット２２と、複数の移相ユニット２３と、複数のスペクトラム逆拡散ユニット２４と、複数の逆写像/判断ユニット２５と、マルチプレクサー２６を含む。該高周波ユニット２１は、高周波信号を受信し、送信装置１の保護ユニット１７に加えられた保護符号をデコードし、受信データを生成する。変換ユニット２２は、受信データを周波数領域データ、即ち、周波数領域の受信データに変換する。即ち、
【数１９】
2009124563.tif 000021
その内の{ EMBED Equation.3  , }は、周波数パスレスポンスであり、また、変換ユニット２２は高速フーリエ変換（Fast Fourier Transformer、FFT）ユニットである。並びに、イコライザ２７によって周波数領域データを受信し、周波数領域データを等化し、等化信号を生成する。即ち、zi＝qYi、その内のqは、重み行列（weight matrix）となる。重み行列（weight matrix）は、最小二乗平均誤差（minimum mean square error、MMSE）とゼロフォーシング（zero forcing、ZF）に基づいて選択されたものである。最小二乗平均誤差受信に対してわかるのは、
【数２０】
2009124563.tif 000022
その内の
【数２１】
2009124563.tif 000023
は、フーリエ変換のホワイトノイズの雑信号変化であり、Λと
【数２２】
2009124563.tif 000024
が対角線行列である故、重み行列（weight matrix）はやはり対角線行列である。ゼロフォーシング受信に対してわかるのは、q＝Λ-1ゼロフォーシングを使った重み行列（weight matrix）がフーリエ変換後の周波数データ{ EMBED Equation.3  , }において、我々が知ることができる等化信号は、即ち、
【数２３】
2009124563.tif 000025
その内、
【数２４】
2009124563.tif 000026
である。複数の移相ユニット２３は、周波数領域データ、即ち、イコライザ２７が出力した等化信号を各々受信し、周波数領域データをシフトして複数の移相データを生成する。複数のスペクトラム逆拡散ユニット２４は、移相データを各々受信し、移相データをスペクトラム逆拡散し複数のスペクトラム逆拡散データを生成する。周波数シフト重複のチューシークエンスは直交性を有する故、我々はスペクトラム逆拡散データを得ることができる。即ち、
【数２５】
2009124563.tif 000027
その内の
【数２６】
2009124563.tif 000028
と
【数２７】
2009124563.tif 000029
である。前述において、移相ユニット２３は乗算器であり、重複データと移相パラメータを乗算し、移相データを生成する。複数の逆写像/判断ユニット２５は、スペクトラム逆拡散データを各々受信し、スペクトラム逆拡散データを逆写像し、逆写像データを生成する。並びに、逆写像後のスペクトラム逆拡散データを判断し、複数の判断データを生成する。即ち、N循環シフトされた多元陪直交変調（M-ary biorthogonal keying，MBOK）データが、スペクトラム逆拡散データ中の最大値を探し出し、逆写像データを予測する。即ち、
【数２８】
2009124563.tif 000030
最後に、スペクトラム逆拡散データ中の最大値に基づき、四位相偏移変調（QPSK）符号データを予測する。即ち、
【数２９】
2009124563.tif 000031
マルチプレクサーは、これらの判断データを受信し、出力データを生成する。即ち、
【数３０】
2009124563.tif 000032
これにより、データ伝送が完了する。
【００１８】
前述したとおり、本発明の周波数選択性減衰パスのマルチコードマルチキャリア符合分割多重接続システムは、写像/スペクトラム拡散ユニットによってこれらのサブストリームを受信し、これらのサブストリームを写像並びにスペクトラム拡散を行い、複数の直交変調データを生成させる。複数の重複ユニットはこれらの直交変調データを各々受信し、直交変調データを重複し、複数の重複データを生成する。複数のシフトユニットはこれらの重複データを各々受信し、重複データをシフトし、複数のシフトデータを生成する。その内のシフトデータは相互直交である。このようにして、ピーク対平均電力比を低下させる。また、本発明は、マルチコード技術によって、良好の帯域幅効率を有する。
【図面の簡単な説明】
【００１９】
【図１】本発明の実施例に関する送信装置のブロック図である。
【図２】本発明の写像/スペクトラム拡散ユニットに関する詳細ブロック図である。
【図３】本発明の実施例に関する受信装置のブロック図である。
【符号の説明】
【００２０】
１    送信装置
１０    デマルチプレクサー
１１    写像／スペクトラム拡散ユニット
１１０  ＸＯＲ論理ゲート
１１２  二進法十進法変換ユニット
１１４  写像ユニット
１１６  スペクトラム拡散ユニット
１１８  乗算器
１２    重複ユニット
１３    シフトユニット
１４    加算器
１５    逆変換ユニット
１６    高周波ユニット
１７    保護ユニット
２    受信装置
２１    高周波ユニット
２２    変換ユニット
２３    移相ユニット
２４    スペクトラム逆拡散ユニット
２５    逆写像／判断ユニット
２６    マルチプレクサー
２７    イコライザ
【図１】
2009124563.tif 000033
【図２】
2009124563.tif 000034
【図３】
2009124563.tif 000035